(57)【特許請求の範囲】
【請求項１】
音波を発生する振動体と、該振動体を振動させる磁気回路部と、音声電流の入力端子と、前記振動体を内包すると共に前記磁気回路部の装着部を形成したフレームとを備え、前記フレームは少なくとも前記振動体の外方に位置する周縁部を光透過性樹脂により形成すると共に該フレームの後方に位置して発光手段を設け、
前記発光手段は光透過性樹脂により形成した基板に光源を設けてなり、前記基板の後方に装飾体を設け、
前記フレームの周縁部を介して前記発光手段の光を視認し得るとと共に、前記基板を介して前記装飾体を視認し得るようにしたことを特徴とするスピーカーユニット。
【請求項２】
前記振動体は、光透過性樹脂により形成される請求項１に記載のスピーカーユニット。
【請求項３】
前記発光手段は前記フレームに向けて発光する光源を設けた基板を備え、該基板に前記音声電流の入力端子を設けたことを特徴とする請求項１又は２記載のスピーカーユニット。
【請求項４】
前記フレームに光拡散処理が施されていることを特徴とする請求項１乃至３のいずれかに記載のスピーカーユニット。
【請求項５】
請求項１乃至４のいずれかに記載のスピーカーユニットを備えたことを特徴とする遊技機。
【発明の詳細な説明】
【技術分野】
【０００１】
本発明は、装飾性を備えたスピーカーユニット及びそれを備えた遊技機に関するものである。
【背景技術】
【０００２】
従来、装飾性を備えたスピ−カーとして、例えば透明又は半透明の振動板を有するスピーカーのフレームに形成した開口部に対応するように発光ダイオード（ＬＥＤ）を備えた基板をフレームの後方に設け、開口部を介してスピーカーの背後から前方に向けて照射される照光が視認可能なスピーカーが提案されている（特許文献１参照）。
【０００３】
また、装飾性を備えたスピーカーは遊技機の前面に装飾部の一部として設けられ、遊技の雰囲気を盛り上げている。例えば、遊技機本体の前面に配置されるスピーカーのコーン紙を光透過性材料で形成し、そのスピーカーの背面側に光源を設けた遊技機が提案されている（特許文献２参照）。
【０００４】
【特許文献１】特開２００４−８０２１６号公報
【特許文献２】特開２００２−２４８２１７号公報
【発明の開示】
【発明が解決しようとする課題】
【０００５】
しかしながら、背景技術に記載のスピーカーは、発光ダイオード（ＬＥＤ）の発光を、透明樹脂振動板を介して視認することはできるものの、フレームが不透明なためにフレームに位置する部位に発光ダイオード（ＬＥＤ）を設けることができず、遊技者はフレームに形成された開口部分に位置する発光ダイオード（ＬＥＤ）の発光しか視認することはできないため、折角の装飾性が見劣りするものとなっている。
【０００６】
そこで本発明は、光による装飾効果を高めることができるスピーカーユニットを提供することを目的とする。
【課題を解決するための手段】
【０００７】
上記目的を達成するために、請求項１に記載の発明は、音波を発生する振動体と、該振動体を振動させる磁気回路部と、音声電流の入力端子と、前記振動体を内包すると共に前記磁気回路部の装着部を形成したフレームとを備え、前記フレームは少なくとも前記振動体の外方に位置する周縁部を光透過性樹脂により形成すると共に該フレームの後方に位置して発光手段を設け、前記発光手段は光透過性樹脂により形成した基板に光源を設けてなり、前記基板の後方に装飾体を設け、前記フレームの周縁部を介して前記発光手段の光を視認し得るとと共に、前記基板を介して前記装飾体を視認し得るようにしたことを特徴とする。ここでいう「光透過性」とは、少なくとも可視光の波長の領域の光を透過する性質のことであり、発光手段の光源が視認し得る状態又は発光手段の光源の光が視認し得る状態をなし得ることを示し、透明又は半透明の他にしぼ等の表面加工を施したものを含む。また、ここでいう装飾体とは、内面（基板側）に図柄・模様を施したもの、内面に蒸着メッキ，白色塗装を施してリフレクタとして光源の光を反射させるものを含む。つまり、光透過性樹脂により形成した基板を介して装飾体の図柄・模様や反射した光を視認することができ、それにより奥行き感のある立体的な装飾効果を向上させることができる。なお、装飾体を白色樹脂により成形してもリフレクタとしての役割をなし、装飾効果を高めることができる。
【０００８】
請求項２記載の発明は、前記振動体は、光透過性樹脂により形成されることを特徴とする。
【０００９】
請求項３記載の発明は、請求項１又は２記載の発明において、前記発光手段は前記振動体に向けて発光する光源を設けた基板を備え、該基板に前記音声電流の入力端子を設けたことを特徴とする。
【００１２】
請求項４に記載の発明は、請求項１乃至３のいずれかに記載の発明において、前記フレームに光拡散処理が施されていることを特徴とする。具体的には、フレームを成形する合成樹脂材に光拡散剤を混入することにより、光拡散処理を施すのが好ましい。合成樹脂材に光拡散剤を混入して光拡散処理を施すことによってフレームが全面に亘って均一に発光することになる。また、フレームの表面に例えば、梨地，しぼ地，或いはエンボス地，ローレット，Ｖカット等の光拡散処理を施すようにしてもよい。
【００１３】
請求項５に記載の発明は、請求項１乃至４のいずれかに記載のスピーカーユニットを遊技機に備えたことを特徴する。例えば請求項１乃至請求項４記載のいずれかのスピーカーユニットを、遊技盤を透視する窓部を有する前面枠を備えた遊技機の装飾部の一部として組み付けるようにしてもよい。また、前記装飾部には光透過性樹脂材からなる仕切板によって複数の区画領域を設け、この区画領域に前記スピーカーユニットを設けるようにしてもよい。このとき、仕切板に対応する発光手段を設けると共に区画領域を構成する仕切板の側面に反射シート等の反射手段を備え、区画領域及び仕切板内に照射される光が混合しないようにするのが好ましく、スピーカーユニットによる光の装飾効果を引き立たせることができる。
【発明の効果】
【００１４】
本発明においては、振動体を内包するフレームを光透過性樹脂により形成し、そのフレームの後方に位置して発光手段を設けたので、少なくともフレームを介して発光手段の光を視認でき、装飾性の高いスピーカーユニットを提供することができる。また、振動体を光透過性樹脂により形成することにより、電飾効果の高いスピーカーユニットとすることができる。
【００１５】
また、音声電流の入力端子を発光手段の基板に設けるようにしたので、煩わしい配線作業を簡素化することができる。
【００１６】
また、光透過性樹脂により形成される振動体を内包するフレームを光透過性樹脂により形成し、光透過性樹脂材よりなるケース体内にフレームの後方に位置して発光手段を設けるようにしたので、装飾効果の高いスピーカーユニットを提供することができる。
【００１７】
また、装飾効果の高いスピーカーユニットを遊技機に備えることで、スピーカーユニットを電飾の一部として使用することができ、装飾性の高い遊技機とすることができる。
【発明を実施するための最良の形態】
【００１８】
以下に本発明を図面を参照して説明する。図１はスピーカーユニットの斜視図、図２はその分解斜視図、図３は側断面図である。スピーカー１は、リード線２の一端をハンダ付けした円筒状のボイスコイル３と、このボイスコイル３を軸線方向に振動可能に支持するダンパー４と、ボイスコイル３によって駆動され音波を発生する振動体としての略円錐形状（コーン型）の振動板５と、ボイスコイル３を配置する磁気ギャップを形成するための磁気回路部６と、磁気回路部６，ダンパー４及び振動板５を所定の位置に支持するフレーム７とで大略構成され、ボイスコイル３の先端を閉塞するキャップ８と、振動板５を挟んでフレーム７へ固着される環状のガスケット９と、音声電流の入力端子１０とを備えている。そして、フレーム７の後方に発光手段１１を備えることによりスピーカーユニット１２を構成している。
【００１９】
振動板５は、実施例においてポリプロピレン（ＰＰ），ポリカーボネイト（ＰＣ），ポリエチレンテレフタレート（ＰＥＴ）等の光透過性樹脂により先端が開口し中心に通孔が開設された略円錐形状に形成されている。また、ダンパー４は、フェノール樹脂等の熱可塑性樹脂を含浸させた綿布，不織布等からなる素材に波形のコルゲーションを同心円状に形成している。なお、振動板５は、円錐形をしたものだけでなく、正面視して楕円，多角形状のものあるいはドーム型，平面型のものであってもよい。
【００２０】
フレーム７は、ポリプロピレン（ＰＰ），ポリカーボネイト（ＰＣ），ポリエチレンテレフタレート（ＰＥＴ）等の光透過性樹脂により形成され、実施例において透明樹脂により音波発生方向に拡開放する略円錐台形の深皿形状に形成されており、その開口周縁部には振動板５を保持するガスケット９が支持されるフランジを有している。つまり、フレーム７は振動板５より大径であり、振動体５の外方に位置するフランジ部が直接視認可能となる。また、円錐面には振動板５が音を発生する時の背圧を抜く台形状の開口部１５が所定箇所に設けられている。そして、開口部１５間の架橋部１６に入力端子１０を略垂直に取着すると共に発光手段１１を開口面と平行状に取付ける取付部１７が形成されている。また、フレーム７の底面には磁気回路部６が嵌着される装着部１８が円筒状に形成されおり、この装着部１８内周には、磁気回路部６をその軸線がダンパー４の軸線と一致させると共に、磁気回路部６を所定の位置に嵌着保持する圧接部１８ａを設けている。この実施例において、圧接部１８ａは周方向に等しい間隔をおいて６箇所に形成され、その圧接部１８ａの先端には磁気回路部６を保持する内向きの突部１８ｂが形成されている。
【００２１】
磁気回路部６は、断面ほぼＵ字状のヨーク６ａと、このヨーク６ａ上に設けられたマグネット６ｂと、その上に設けられたポールピース６ｃとを備え、ポールピース６ｃの外周面と、ヨーク６ａの上方内周面との間に環状の磁気ギャップが形成されている。また、ヨーク６ａの後端外周部に段部２０が形成され、この段部２０にフレーム７の装着部１８に設けた突部１８ｂが係止し、磁気回路部６が容易に外れないようにしている。また、段部２０に替えて後端外周部を曲面又は傾斜状に面取りし、この面取り部に突部１８ｂが係止するようにしてもよい。
【００２２】
入力端子１０は、厚さ１ｍｍ程度の白い絶縁基板に、リード線２が接続される厚さ０．５ｍｍ程度の薄い金属板からなるプラスとマイナスの端子部を取付けている。絶縁基板にはフレーム７の取付部１７に突設される角型突起が挿通される角穴が形成されている。なお、絶縁基板は基板に白い絶縁皮膜をコーティングして形成している。
【００２３】
発光手段１１は、実施例において発光基板１３の表面に光源としてのＬＥＤ（発光ダイオード）１４が実装されている。具体的には発光基板１３は、図２に示すようにフレーム７と略同径で中央にフレーム７の装着部１８を臨ませる通孔が形成されたドーナツ型をして、その前面にＬＥＤを格子状に略均等に実装しており、フレーム７に向けて発光するように発光基板１３を正面視してＬＥＤ１４がフレーム７の架橋部１６及び取付部１７と重なるように配置している。なお、実施例においては、発光基板１３にＬＥＤ１４（光源）を格子状に実装したが、ＬＥＤ１４を放射状又はランダムに実装してもよい。また、光源はＬＥＤ１４に限るものではなく、小型ハロゲンランプ，小型電球等の他に面発光するエレクトロルミネセンス（ＥＬ）であってもよい。
【００２４】
なお、実施例においてガスケット９，キャップ８は、フレーム７及び振動板５と同様にポリプロピレン（ＰＰ），ポリカーボネイト（ＰＣ），ポリエチレンテレフタレート（ＰＥＴ）等の光透過性樹脂により形成している。つまり、発光手段１１の前方に位置してスピーカー１を構成するダンパー４及びリード線２、ボイスコイル３、磁気回路部６以外はすべて少なくとも可視光の波長の領域の光を透過する光透過性樹脂により形成されており、ダンパー４の外周方向に位置して設けられる発光手段１１の光がすべて視認可能となる。
【００２５】
次に上記構成のスピーカー１の組立ては、入力端子１０の角穴をフレーム７の取付部１７の角型突起に合致させ、この角型突起を溶着又は接着により入力端子１０をフレーム７に正面視して目立たないように垂直状に取付ける。そして、フレーム７の装着部１８の内面にアクリル系接着剤を塗布し、磁気回路部６を装着部１８の後方から軸線がボイスコイル３の軸線と一致するように嵌着して、圧接部１８ａに圧接すると共に突部１８ｂで係止し磁気回路部６を保持する。次に、リード線２の一端をハンダ付けしたボイスコイル３をダンパー４の穴に挿入した状態で、ボイスコイル３の端部を磁気回路部６のギャップに非接触状態で位置させ、ダンパー４をフレーム７にゴム系接着剤等により固定する。そして、ダンパー４の内周部とボイスコイル３をアクリル系接着剤等で接着する。次に、ボイスコイル３のリード線２の他端をフレーム７に取付けた入力端子１０の端子部にハンダ付けして、リード線２によりボイスコイル３と入力端子１０間が接続される。
【００２６】
次に、振動板５をフレーム７に取り付ける。この取付けは、振動板５の通孔にボイスコイル３の外周に嵌合させ、振動板５の最大直径部をフレーム７のフランジにガスケット９を介してゴム系接着剤で固定する。このあと、振動板５の内周部とボイスコイル３をアクリル系接着剤で接着し、さらにボイスコイル３の先端を気密に覆う様にキャップ８を接着剤により接合し、振動板５の径方向における変形防止及び塵埃等の侵入を防止するようにしている。そして、最後に発光基板１３をフレーム７の後方に位置して取付部１７のボスにビス着することで、フレーム７の架橋部１６及び取付部１７を介してＬＥＤ１４の光が視認し得るスピーカーユニット１２が完成する。このとき、振動板５の外方に位置するフレーム７の周縁部が直接視認可能となっている。なお、発光基板１３を取付部１７にビスにより取付けるようにしたが、フレーム７に係止爪を一体に形成して発光基板１３をこの係止爪で係止するようにしてもよく、発光基板１３をワンタッチでしかも確実に取付けることができる。このとき、発光基板１３に係止爪が係止する切欠部又は係止孔を形成するのが好ましい。
【００２７】
上記構成のスピーカーユニット１２は、外部から供給されるオーディオ信号に基づく印加電流に応じて磁気回路部６のボイスコイル３に電磁力が与えられると、ボイスコイル３がマグネット６ｂと引合い又は反発することにより、振動板５が前後に振動してオーディオ信号に応じた音波を発生させるようになっている。また、スピーカーユニット１２は、正面視してダンパー４の外方に位置するものが全て光透過性樹脂により形成されているため、フレーム７の後方に設けられる発光基板１３のＬＥＤ１４の光が、フレーム７及び振動板５を介して視認可能となっており、装飾性の高いものとなる。
【００２８】
なお、フレーム７はＬＥＤ１４が視認し得る透明樹脂に限らず、１４の光が視認し得るようにフレーム７を全面に亘って均一に光らせるために光拡散剤等を混入して乳白色等の半透明樹脂としてもよく、ＬＥＤ１４からの光がフレーム７に投射されて面発光しているように見えるため、ＬＥＤ１４が直視できる透明と異なった照明効果を得ることができる。さらに、発光手段１１からの照射光を乱反射させるために、表面に例えば、梨地，しぼ地，或いはエンボス地，ローレット，Ｖカット等の光拡散処理を施して、可視光が反射する際に拡散光を形成して奥行きのある光の演出効果を奏するようにしてもよい。また、フレーム７に模様などを刻設したり、全体或いは部分的に着色したりして装飾性を高めるようにしてもよい。
【００２９】
なお、実施例において振動板５を光透過性樹脂により形成したが、振動板５を不透明としてもよく、フレーム７の後方に位置して設けた発光手段１１を発光させることにより振動体５の外方に位置する周縁部を介して発光手段１１の光を視認することができ、幻想的なスピーカーユニット１２とすることができる。
【００３０】
また、図４に示すようにフレーム７に板状の取付ベース２１を設けるようにしてもよく、図上取付ベース２１は開口周縁のフランジ部を周方向に延設して略方形状をしている。取付ベース２１には、スピーカーユニット１２を取付けるための係止片２２を一体に設けており、スピーカーユニット１２をワンタッチで被装着部に取付けることができる。このとき、ＬＥＤ１４を取付ベース２１に対応して設けるようにしてもよい。このようにフレーム７に取付ベース２１を設けることにより、フレーム７の後方から照射された光が取付ベース２１で拡散して、より装飾性の優れたスピーカーユニット１２とすることができる。特に、振動板５を不透明とした場合には取付ベース２１により発光部位が広くなるため、装飾効果を高めることができる。なお、スピーカーユニット１２の取付手段として係止片２２に替えてビス着用の透孔を設けるようにしてもよい。
【００３１】
図５は、入力端子１０を発光手段１１の発光基板１３に設けたスピーカーユニット１２Ａの実施例を示している。このスピーカーユニット１２Ａは、入力端子１０を発光手段１１の発光基板１３に設けることにより、入力端子１０を取着する絶縁基板等の細かな基板部品がなくなり、部品点数が減少してスピーカーユニット１２Ａの組立工程を簡素化することができるという効果を奏する。このスピーカーユニット１２Ａにおいては、予め入力端子１０を備えた発光基板１３をフレーム７に取付けておき、最後にボイスコイル３のリード線２の他端を入力端子１０にハンダ付けして、ボイスコイル３と入力端子１０間をリード線２によりが接続すればよい。なお、図６に示すように一端をボイスコイル３にハンダ付けしたリード線２の他端に接続子としてカプラーを取付けると共に、発光基板１３にリード線２のカプラーと接続する接続子としてカプラー，導電ピン等を設け、リード線２のカプラーを発光基板１３の接続子に接続するようにしてもよい。このように、接続子によりリード線２を付け外し自在とすることで発光基板１３のフレーム７への取付作業も容易となる。
【００３２】
図７乃至図９はスピーカーユニットの他の実施例を示し、前記実施例ではスピーカー１に発光手段１１を直接設けるようにしたが、この実施例ではスピーカー１を光透過性樹脂材よりなるケース体２３内に組付けると共にフレーム７の後方に位置して発光手段１１を設けている。具体的には、ケース体２３は、前方に開口が形成された前ケース体２３ａと背面側の半球状の後ケース体２３ｂとで構成され、後ケース体２３ｂに発光手段１１が取付けられる。そして、図９に示すように発光手段１１の前方にフレーム７が位置するようにスピーカー１を配置して、前ケース体２３ａと後ケース体２３ｂをねじ止めすることにより一体に組み付け、略球体のスピーカーユニット１２Ｂが完成する。このとき、スピーカー１及び発光手段１１の配線は後ケース体２３ｂの底部に開設した開口から引出される。このように、ケース体２３内にスピーカー１及び発光手段１１を設けることで、その発光手段１１の発光基板１３等を保護することができる。また、振動板５の後側に発生する逆位相の音をケース体２３内において良好に減衰することができ、逆位相の音の内部反射によって振動板５の動きが阻害されることを防止することができるため、音響効果の優れたスピーカーユニット１２Ｂとすることができる。なお、実施例において、ケース体２３を球体形としたが、立方体等の多面体，円錐等の錐体であってもよい。また、発光基板１３のＬＥＤ１４をフレーム７側に向けて光を照射するようにしたが、ケース体２３に向けて光を照射する光源を発光基板１３に設けるようにして、スピーカーユニット１２Ｂ全体を光らせることにより装飾性の高いスピーカーユニット１２Ｂとすることができる。
【００３３】
また、前記振動板５の前方に光透過性樹脂材よりなる装飾部材を備え、フレーム７の後方から照射される発光手段１１の光によって照射して、さらにスピーカーユニット１２，１２Ａ，１２Ｂの装飾効果を高めるようにしてもよい。
【００３４】
また、図７乃至図９に示す発光基板１３を例えば酸化錫を蒸着した透明なガラス基板とし、発光基板１３の後方に位置する後ケース体２３ｂに図柄・模様を施した装飾体として、振動板５，フレーム７，発光基板１３を介して後ケース体２３ｂの図柄・模様を視認できるようにしてもよい。これにより、ケース体２３の奥行きを有効に利用して、立体感のある装飾効果を実現することができる。なお、後ケース体２３ｂを白色樹脂により成形したり、内面に白色塗装，蒸着メッキを施したりしてＬＥＤ１４の光を反射させ、その反射した光を発光基板１３を介して視認できることで、ＬＥＤ１４の直接的な光と間接的な光の強弱やその色彩のコラボレーションにより装飾効果を向上させることができ、インパクトの高い演出を提供することができる。なお、発光基板１３に後ケース体２３ｂに向けて照射する光源を設けるようにしてもよく、より幻想的な演出が可能となる。なお、発光基板１３はガラス基板に限らずＰＥＴ（ポリエチレンテレフタレート）等の光透過性樹脂により形成した無色透明の基板としてもよい。
【００３５】
図１３は、発光基板１３Ａを無色透明なポリイミドを用いた透明フレキシブル基板とした実施例を示し、発光基板１３Ａの後方に装飾体５０を設けてスピーカーユニット１２Ｃを構成している。発光基板１３Ａは、ドーナツ形状を一部切欠いた扇状（円錐台の側面展開状）に形成され、発光基板１３Ａの表側にはＬＥＤ１４（第一光源）が実装され、裏側に装飾体５０を照射する第二光源としてのＬＥＤ５１が実装されている。また、装飾体５０はスピーカー１の外観に沿うようにすり鉢形状をしており、内面（発光基板１３Ａ側）に蒸着メッキを施して、リフレクタとして第二光源のＬＥＤ５１の光を反射して装飾効果を向上させるようにしている。そして、発光基板１３Ａは、フレーム７に沿うように設けられ、フレーム７と装飾体５０とに挟持されて取付けられる。なお、装飾体５０は、上述したように白色樹脂により成形したり、内面に白色塗装を施してもよい。また、装飾体５０は、内面（発光基板１３Ａ側）に図柄・模様を施して、振動板５，フレーム７，発光基板１３Ａを介してその模様を視認できるようにしてもよい。このように、発光基板１３Ａを透明フレキシブル基板とすることで、発光基板１３Ａを照射体と最適な離間距離に配設することができ、実施例に示すように発光基板１３Ａをフレーム７の外形に沿わせ配設し、フレーム７を均一に光らせることができる。ひいては、装飾効果の優れたコンパクトなスピーカーユニット１２Ｃを提供することができる。
【００３６】
また、発光基板１３Ａを透明基板とすると共に発光基板１３Ａの後方に蒸着メッキを施した装飾体５０を設けることで、ＬＥＤ５１の光が装飾体５０の反射面に反射され、前面側の発光基板１３Ａを介して振動板５、フレーム７のエッジ部を発光させることができ、スピーカーユニット１２Ｃとしての装飾効果を向上させることができる。さらに、第一光源のＬＥＤ１４の発した光と、透明な合成樹脂で形成された発光基板１３Ａに実装した第二光源のＬＥＤ５１の発した光とによって、奥行き感を持たせた演出を行うことができる。
【００３７】
次に、上記スピーカーユニット１２，１２Ｂを備えた遊技機について、図面を参照して説明する。図１０は遊技機としてのパチンコ遊技機の正面図である。パチンコ遊技機１００は、方形枠状の外枠２５の一側前面にヒンジ機構によって内枠２６が回動自在に設けられ、内枠２６には遊技盤２７が装着されると共に、遊技盤２７の正面を覆う透明板を備えた前面枠２８が回動可能に設けられている。また、前面枠２８の下方に位置する内枠２６には遊技球を貯留し発射部に供給する供給皿２９が設けられ、供給皿２９の前面を覆う装飾カバー体が前面枠２８と一体に形成されている。そして、供給皿２９の下方に余剰球を貯留する貯留皿３０が設けられ、貯留皿３０の右側に打球の弾発力を調節する操作ハンドル３１が設けられている。
【００３８】
そして、図１０に示すように前面枠２８の左右の上部コーナーに装飾部３２が設けられ、この装飾部３２に上記したスピーカーユニット１２，１２Ｂが組み付けられている。装飾部３２はベース部３３の前面側を光透過性樹脂材（ポリカーボネイト樹脂材、アクリル樹脂材など）により形成された中空枠体状の装飾カバー３４で覆うように構成している。そして、装飾カバー３４は図１０及び図１１に示すように内部を光透過性樹脂材（ポリカーボネイト樹脂材、アクリル樹脂材など）で形成され、外周表面にローレット加工，梨地，しぼ地，或いはエンボス地，Ｖカット等の光拡散処理が施された仕切板３５により複数の区画領域３６を形成している。そして、装飾カバー３４には小径の透音孔４３又は開口部４４が開設されており、この透音孔４３又は開口部４４に対向するように夫々の区画領域３６にスピーカーユニット１２，１２Ｂを配設し、区画領域３６を音響空間としている。このとき、スピーカー１は遊技者に向かうように設けられており、遊技者は重厚な迫力ある音を楽しむことができる。
【００３９】
また、ベース部３３には各区画領域３６及び仕切板３５に対応して単色又はフルカラーのＬＥＤ３７を備えた基板３８を設けて、各区画領域３６及び仕切板３５を照射するようにしている。なお、区画領域３６の背面にはハーフミラー状の反射板４０が設けられ、反射板４０の後方に設けられる区画領域用光源３７ａの照射光を反射面で反射させて区画領域３６内全体を明るく照射させるようにしている。また、仕切板３５の板厚方向両側面には仕切板用光源３７ｂの照射光を反射するための反射加工が施されている。実施例においては、反射シールが貼着されている。そのため、仕切板３５の端面から入射した仕切板用光源３７ｂの照射光が区画領域３６へ拡散することがなく、仕切板３５の外周面を照射し、エッジ効果により仕切板３５に入射した光が遊技者側より鮮明に視認できる。また、仕切板用光源３７ｂとスピーカーユニット１２，１２Ｂの発光色を異ならせても、仕切板３５に入射した光が区画領域３６に漏れることがないので、区画領域３６を明確に識別することができて、装飾部３２の多様な装飾効果が得られると共に演出効果を高めることができる。
【００４０】
スピーカーユニット１２は、図１２に示すように開口部４４の周縁部に設けられたフック４１を前面側に小孔が形成された光透過性樹脂製のカバー体４２ａを介してフレーム７のフランジ周縁に係止することで簡単に各区画領域３６内に組み付けることができる。なお、実施例においてスピーカーユニット１２の後方も反射加工を施したカバー体４２ｂで保護すると共に見栄えをよくしている。このとき、スピーカー１及び発光手段１１の配線は目立たないように反射テープで巻装されて、仕切板３５の下面に形成した溝に配設されてベース部３３の後方に導かれている。また、スピーカーユニット１２Ｂは、図１２に示すように後ケース体２３ｂに設けられた取付ボス部２３ｃをベース部３３に突設したボスを介してねじ止めすることにより装飾部３２に組み付けられる。このとき、後ケース体２３ｂの底部に開設した開口から引出されたスピーカーユニット１２Ｂの配線は、そのままベース部３３の後方に導かれるため、配線が目立つことはなく装飾性を阻害することはない。なお、スピーカーユニット１２Ｂのケース体２３の形状は、装飾部３２の装飾性に合わせて変更してもよい。また、スピーカーユニット１２Ｂの取付けも、係止爪等によりワンタッチで着脱できるようにしてもよい。なお、スピーカーユニット１２Ｂは、反射板４０の一部を隆起させ、その隆起部に開設した開口に埋設するように取付けるようにしてもよい。
【００４１】
このように、装飾部３２に発光手段１１を備えたスピーカーユニット１２，１２Ｂを設けることにより、スピーカー１から出力される音声と発光手段１１の発光態様との組み合わせによる多彩な演出効果が得られる。また、スピーカーユニット１２，１２Ｂのフレーム７が光透過性樹脂により形成されていることから、ＬＥＤ１４の照射を阻害するものがなく、スピーカー１の位置する部位が目立つことがないため、装飾部３２の見栄えを損なうことがなく、スピーカーユニット１２，１２Ｂをデザインの一部として装飾効果の高い連続的な電飾も可能となり、より装飾効果の富んだぱちんこ遊技機１００とすることができる。
【００４２】
また、図１０に示すように、遊技盤２７に帯状発光部４５を設け、装飾部３２の仕切板３５を帯状発光部４５と関連して連続的となるように設けることで、遊技者側から見て仕切板３５の発光態様が遊技盤２７上の帯状発光部４５の発光と連続して発光しているように視認されるので、遊技機全体にわたって装飾効果、演出効果を高めることができる。
【００４３】
なお、上記実施例において、遊技機としてパチンコ遊技機を例に説明したが、雀球遊技機，アレンジボール式遊技機、さらに回胴式又は画像式のスロット遊技機等にも本発明を適用することができる。また、実施例に示した内容に限定されるものではなく、この発明の要旨を逸脱しない範囲で、種々の形態を実施し得るものである。
【図面の簡単な説明】
【００４４】
【図１】スピーカーユニットの斜視図である。
【図２】図１のスピーカーユニットの分解斜視図である。
【図３】図１のスピーカーユニットの側断面図である。
【図４】フレームの他の実施例を示す斜視図である。
【図５】スピーカーユニットの他の実施例の斜視図である。
【図６】スピーカーユニットの他の実施例の斜視図である。
【図７】スピーカーユニットの他の実施例の斜視図である。
【図８】図７のスピーカーユニットの分解斜視図である。
【図９】図７のスピーカーユニットの側断面図である。
【図１０】スピーカーユニットを備えたパチンコ遊技機の正面図である。
【図１１】パチンコ遊技機の装飾部の斜視図である。
【図１２】図１１の装飾部の断面図である。
【図１３】スピーカーユニットの他の実施例の断面図である。
【符号の説明】
【００４５】
１          スピーカー
５          振動板（振動体）
６          磁気回路部
７          フレーム
１０        入力端子
１１        発光手段
１２        スピーカーユニット
１２Ａ      スピーカーユニット
１２Ｂ      スピーカーユニット
１２Ｃ      スピーカーユニット
１３        発光基板
１３Ａ      発光基板
１４        ＬＥＤ（光源）
１８        装着部
２３        ケース体
２３ａ      前ケース体
２３ｂ      後ケース体（装飾体）
５０        装飾体
１００      パチンコ遊技機（遊技機）
【図１】
0005279012.tif 000002
【図２】
0005279012.tif 000003
【図３】
0005279012.tif 000004
【図４】
0005279012.tif 000005
【図５】
0005279012.tif 000006
【図６】
0005279012.tif 000007
【図７】
0005279012.tif 000008
【図８】
0005279012.tif 000009
【図９】
0005279012.tif 000010
【図１０】
0005279012.tif 000011
【図１１】
0005279012.tif 000012
【図１２】
0005279012.tif 000013
【図１３】
0005279012.tif 000014